(57)【特許請求の範囲】
【請求項１】
家具筐体（２）内で可動な可動家具部品（３）のための駆動装置（１）であって、
ロック位置（Ｖ）にロックが可能な取り出し装置（４）であり、前記可動家具部品（３）を閉じ位置（ＳＳ）から開き位置（ＯＳ）に移動させるための該取り出し装置（４）を含んでおり、
該取り出し装置（４）は、閉じ方向（ＳＲ）において閉じ位置（ＳＳ）の背後にある超過押圧位置（ＵＳ）に前記可動家具部品（３）を超過押圧することでロック解除が可能であり、このため、前記可動家具部品（３）は開き方向（ＯＲ）において前記取り出し装置（４）によって移動させることができ、
前記可動家具部品（３）は該可動家具部品（３）を引っ張ることにより、閉じ位置（ＳＳ）から開き位置（ＯＳ）に移動させることができ、
前記取り出し装置（４）は引っ張って開く際にロック位置（Ｖ）に留まるものであり、
本駆動装置（１）はさらに、
本駆動装置を前記可動家具部品（３）に、あるいは前記家具筐体（２）に結合させるための結合装置（５）を含んでいる、駆動装置（１）において、
前記結合装置（５）は伝達当接部（６）を有しており、それを介して、該結合装置（５）は、閉じ位置（ＳＳ）において、および、閉じ位置（ＳＳ）と超過押圧位置（ＵＳ）との間の超過押圧領域（Ｕ）において、前記取り出し装置（４）の始動当接部（７）に当接しており、
前記結合装置（５）は、前記取り出し装置（４）による前記可動家具部品（３）の取り出しの際に結合位置（Ｋ）に存在するものであり、
引っ張って開く際に、始動当接部（７）は伝達当接部（６）から持ち上げて離され、その結果、該結合装置（５）は、前記取り出し装置（４）に拘束されずに移動することを特徴とする駆動装置。
【請求項２】
引っ張って開いたとき、前記結合装置（５）が、開き方向（ＯＲ）で閉じ位置（ＳＳ）の前方である第１の開き移動部分（Ｗ）の結合位置（Ｋ）に留まるものであることを特徴とする請求項１に記載の駆動装置。
【請求項３】
前記第１の開き移動部分（Ｗ）の長さが１０ｍｍと１００ｍｍの間であることを特徴とする請求項２に記載の駆動装置。
【請求項４】
前記駆動装置（１）は基礎プレート（８）を有することを特徴とする請求項１に記載の駆動装置。
【請求項５】
前記取り出し装置（４）は、前記基礎プレート（８）にガイド通路（９）を有し、該基礎プレート（８）に沿って可動である取り出しスライダー（１０）を有し、該取り出しスライダー（１０）に旋回可能に取り付けられたロックレバー（１１）を有し、該ロックレバー（１１）に取り付けられ、且つ、前記ガイド通路（９）において移動可能であるロックピン（１２）を有し、さらに、一方で前記基礎プレート（８）に固定され、他方で前記取り出しスライダー（１０）に固定された取り出し力保存手段（１３）を有していることを特徴とする請求項４に記載の駆動装置。
【請求項６】
前記取り出し装置（４）の前記始動当接部（７）は前記ロックレバー（１１）に提供されることを特徴とする請求項５に記載の駆動装置。
【請求項７】
前記結合装置（５）は、前記基礎プレート（８）内を直線的に少なくとも部分的に移動可能である結合スライダー（１４）と、前記家具筐体（２）または前記可動家具部品（３）に配置された結合帯同部分（１６）のために前記結合スライダー（１４）において移動可能に取り付けられた捕捉要素（１５）と、を有していることを特徴とする請求項４〜６のいずれか一項に記載の駆動装置。
【請求項８】
前記結合スライダー（１４）と前記捕捉要素（１５）とが、前記基礎プレート（８）内のガイド通路（１７）であり、曲状端部（１８）を備えて部分的に直線状である該ガイド通路（１７）に沿って移動可能であることを特徴とする請求項７に記載の駆動装置。
【請求項９】
開き位置（ＯＳ）から閉じ位置（ＳＳ）に前記可動家具部品（３）を引き込むための引き込み装置（１９）を更に含んでいることを特徴とする請求項１に記載の駆動装置。
【請求項１０】
開き位置（ＯＳ）から閉じ位置（ＳＳ）に前記可動家具部品（３）を引き込むための引き込み装置（１９）を更に含んでおり、
前記引き込み装置（１９）は、引き込み捕捉要素（２０）によって、前記結合帯同部分（１６）とは分離している引き込み帯同部分（２２）と係合できることを特徴とする請求項７に記載の駆動装置。
【請求項１１】
家具筐体（２）と、該家具筐体（２）に対して可動である可動家具部品（３）と、該可動家具部品（３）のための請求項１に記載の駆動装置（１）とを有している家具。
【発明の詳細な説明】
【技術分野】
【０００１】
本発明は、家具筐体内で可動である家具部品のための駆動装置に関し、ロック位置でロックが可能であり、可動家具部分を閉じ位置から開き位置に移動させるためのロック可能な取り出し装置を含むものである。該取り出し装置は、閉じ方向にて閉じ位置の背後に存在する超過押圧位置にまで可動家具部品を超過押圧することでロックを解除することが可能であり、それにより、可動家具部分は取り出し装置によって開き方向に可動となる。また、該可動家具部品は、該可動家具部品を引っ張ることで閉じ位置から開き位置にまで可動であり、該取り出し装置は引っ張ることで開かれロック位置に留まる。また、該駆動装置は該駆動装置を可動家具部品、または家具筐体に結合させるための結合装置をさらに含む。さらに本発明は、このような駆動装置を備える家具製品に関する。
【０００２】
所謂タッチラッチ（touch latch）機構は家具装具品産業でここ何年にもわたって知られており、そこでは取り出し装置は閉じ位置に存在する可動家具部品を押圧することでロックが解除され、可動家具部品（例えば、引出し、あるいは家具フラップ扉）が開き方向に取り出される。
【０００３】
異なる汎用種の単純なタッチラッチ機構においては、取り出し装置は家具筐体の任意の箇所に配置され、可動家具部品を少なくとも第１の開き移動時に取り出す。駆動装置を可動家具部品に結合させるための結合装置は存在しない。その代わりとして、可動家具部品が直接的に、または間接的に支受（又は当接）される唯一のアバットメント面（当接面）が存在するだけである。もし、そのような駆動装置が存在する場合には、可動家具部品を超過押圧する代わりに、可動家具部品は閉じ位置から単純に引き出され、続いて可動家具部品は駆動装置内で動作を始動させることなくアバットメント面から持ち上げて離される。
【０００４】
それとは逆に、これも異なる汎用種である特許文献１においては、結合装置は、可動家具部品の取り出し時に結合位置に留まるが、一方、カージオイド形状のガイド通路を備えたロック装置は、引っ張ることで可動家具部品を開いたときにはロック位置に留まらない。むしろ、引っ張って開くときに、ロックピンをカージオイド（cardioid）の“ハート形状部”を回避する形態で通過させる回避通路が提供されている。従って、ロック位置は引っ張って開いた際に維持される。
【０００５】
異なる汎用種の装置に関する特許文献２においては、引っ張って開くと、駆動装置と可動家具部品または家具筐体の間の結合位置も同様に維持されるが、ロック可能な取り出し装置のロック解除は、超過押圧によるロック解除と、引っ張ることによるロック解除の両方によって実行される。
【０００６】
一方、ここで述べる汎用種の装置を開示する特許文献３は、引っ張って開くと、取り出し装置がロック位置に留まる一種の超過荷重防護装置を開示する（図３０ｃ参照）。しかし、捕捉フォーク（catch fork）が家具筐体と関係するピンにより、バネの力に対抗して旋回し、駆動装置は、引っ張って開いたときには家具筐体と結合した状態には留まらない。この構造の弱点は、そのように引っ張って開いたとき、ピンが捕捉要素（catch element）に再び結合できるのはその後のみであるように、家具部品を再び閉じるときに駆動装置がロック解除されなければならないことにある。
【先行技術文献】
【特許文献】
【０００７】
【特許文献１】国際公開第２０１２／１４９５８７号
【特許文献２】国際公開第２０１１／０１５６６３号
【特許文献３】国際公開第２００９／１１４８８６号
【発明の概要】
【０００８】
従って、本発明の目的は、従来技術の代用としての、あるいはそれに勝る駆動装置を提供することである。特に、本発明は、ここに関与する汎用種の駆動装置を定義する従来技術の弱点を回避することを特徴とする。
【０００９】
その目的は、請求項１の特徴を備えた駆動装置によって達成される。その特徴によれば、結合装置は、取り出し（ejection）装置（エジェクト装置）による可動家具部品の取り出しによって結合位置に存在し、結合装置は引っ張ることで開いたとき、取り出し装置に対して非拘束的に可動である。従って、結合装置は、引っ張って開いたとき少なくとも部分的に結合位置に留まり、結合装置は超過荷重バネのバネ荷重から自由に動くことができる。加えて、家具部品が押し込まれたとき、結合装置の構成要素が簡単に再び結合できるので、再び閉じたときにロック解除を実行する必要はない。
【００１０】
取り出し装置に対する結合装置の“非拘束的な”移動とは、言い換えるならば、引っ張って開くと、結合装置が取り出し装置とは独立して移動可能であることを指す。さらに言い換えれば、結合装置は引っ張って開いたとき、取り出し装置に接続されていない。この場合、結合装置は駆動装置に対して並進構成要素（translatory component）と共に移動可能であり、そこでは、例えば、結合装置はガイド通路の直線部分においてバネ荷重なしで移動可能である。
【００１１】
基本的には、可動家具部品の全体的な開き移動時には結合装置は結合位置に存在する。しかしながら、好適には、引っ張ることで開くとき、結合装置は、開き方向において閉じ位置の前方である第１の開き移動部分においてのみ結合位置に留まる。この場合には、第１の開き移動部分は、１０ｍｍから１００ｍｍの間、好適には２０ｍｍと７０ｍｍの間の長さであり得る。
【００１２】
特に好適には、非拘束的な移動のために、結合装置は伝達当接部（transmission abutment）を有しており、結合装置は、それによって閉じ位置および閉じ位置と超過押圧（over-pressing）位置との間の超過押圧領域で取り出し装置の始動当接部（triggering abutment）に当接し、引っ張って開くと、伝達当接部は始動当接部から持ち上げられて離れ、伝達当接部と始動当接部との間には接触が存在しなくなる。
【００１３】
本発明の実施態様の一つによれば、駆動装置は基礎プレートを有することができる。この点で特に好適には、取り出し装置は、基礎プレート内の、好適にはカージオイド形状ガイド通路と、基礎プレートに沿って好適には直線状に移動可能な取り出しスライダー（ejection slider）と、該取り出しスライダーに旋回可能に取り付けられたロックレバーと、該ロックレバーに取り付けられ、ガイド通路で移動可能なロックピンと、一方で基礎プレートに固定され、他方で該取り出しスライダーに固定されている取り出し力保存手段とを有している。このような構造により、基本的には始動当接部は任意の構成要素上、例えば、取り出し装置の取り出しスライダー上に提供が可能である。しかしながら好適には、取り出し装置の始動当接部がロックレバー上に提供される。
【００１４】
加えて、本発明の好適な実施態様の一つでは、結合装置は、基礎プレート内の少なくともその一部で直線状に移動可能な結合スライダーと、家具筐体上に配置されているか、あるいは可動家具部品上に配置されている結合帯同部分（coupling entrainment portion）のために、結合スライダーに可動に取り付けられた、好適には旋回可能に取り付けられた捕捉要素（catch element）とを有しており、その結合スライダーと捕捉要素は基礎プレート内の一部が直線状であり、曲状端部（angled end portion）を有するガイド通路に沿って移動可能である。この場合、好適には、結合装置の伝達当接部は結合スライダー上に提供されている。
【００１５】
駆動装置内に超過押圧によって、能動的な取り出しの機能だけでなく他機能も一体化させるため、駆動装置は、好適には、開き位置から閉じ位置への可動家具部品の引き込みのための引き込み（retraction）装置も有する。その場合には、引き込み装置を家具筐体または可動家具部品に結合させるため、引き込み装置は引き込み捕捉要素（または、引き込みガイド要素。）によって、結合帯同部分と分離している引き込み帯同部分（retraction entrainment portion）と係合することができる。
【００１６】
もし、駆動装置の取り出し装置と引き込み装置が共同で構造ユニット（一体物）を形成するなら、好適には、引き込み装置は引き込み捕捉要素によって、少なくとも部分的に結合装置に結合でき、引っ張ることで開くと、引き込み装置の引き込み力保存手段は第１の開き移動部分（first opening travel portion）に沿って応力（負荷）を受けることができる。よって、結合装置は引き込み装置の引き込みにより結合位置に存在する。
【００１７】
しかしながら、基本的には、引き込み装置と取り出し装置は構造ユニットの形態である必要はない。それより、本発明の駆動装置は、既に存在する可動家具部品内あるいは延伸ガイド構造体（ejection guide assembly）内に後付けされるものである。その場合には、例えば、引き込み帯同部分を有する引き込み装置は延伸ガイド構造体内に既に提供されている。従って、この場合には、取り出し装置だけが後付けされなければならず、その場合、２つの別々の帯同部分（引き込み帯同部分と結合帯同部分）が、駆動装置と家具筐体または可動家具部品との間で接続あるいは結合のために提供される。
【００１８】
家具筐体、その家具筐体に対して可動である可動家具部品、およびその可動家具部分のための本発明の駆動装置を有した家具にも保護が請求される。この点で、原則的には、駆動装置は家具筐体上に配置され、結合帯同部分は可動家具部品に関係することができる。しかしながら、好適な実施態様の一つでは、駆動装置は可動家具部品上に配置され、結合装置は、家具筐体に関係し、捕捉要素と係合できる結合帯同部分を有する。
【００１９】
本発明のさらなる詳細と利点は、添付図面に図示されている例示としての実施例に関わる特定の説明によって以下でさらに詳細に解説されている。
【図面の簡単な説明】
【００２０】
【図１】図１は、様々な位置に存在する可動家具部品を備えた家具を概略的に図示する。
【図２】図２は、駆動装置を備えた可動家具部品を下方から図示する。
【図３】図３は、駆動装置の分解図を図示する。
【図４】図４は、閉じ位置の駆動装置を図示する。
【図５】図５は、超過押圧位置の駆動装置を図示する。
【図６】図６は、取り出し時の駆動装置を図示する。
【図７】図７は、取り出しプロセス終了後の駆動装置を図示する。
【図８】図８は、閉じ位置にある取り出し装置と引き込み装置とを備えた駆動装置を図示する。
【図９】図９は、引っ張って開いたときの駆動装置を図示する。
【図１０】図１０は、引っ張ることによる開き移動の終了後の駆動装置を図示する。
【発明を実施するための形態】
【００２１】
図１は、家具筐体２と、引出しの形態の複数の可動家具部品３とを含んだ家具１４を図示する。上方から下方を見ると、引出しは、開き位置ＯＳと、次に閉じ方向ＳＲにさらに移動した開き位置ＯＳと、次に閉じ位置ＳＳと、超過押圧位置ＵＳの底部の真上に存在する。一般的に、可動家具部品３は引き出し収容体２４と前方パネル２５とを含む。それぞれの可動家具部品３は延伸ガイド構造体２８によって家具筐体２上で可動状態に支持されている。この点で、延伸ガイド構造体２８は、引き出しレール２６と、筐体レール２７と、オプションで中央レール（図示せず）とを有する。さらに、概略的に図示されている引き込み装置１９が、例えば、引出しレール２６と筐体レール２７との間に提供できる。駆動装置１は、この場合には可動家具部品３と関係する取り出し装置４を有する。必須構成要素として、取り出し装置４は可動家具部品３または引き出しレール２６に固定された基礎プレート８と、基礎プレート８内のカージオイド形状ガイド通路９と、基礎プレート８内に可動に取り付けられた取り出しスライダー１０と、取り出しスライダー１０に旋回可能に取り付けられたロックレバー１１と、ロックレバー１１に取り付けられ、カージオイド形状ガイド通路９内で可動であるロックピン１２と、取り出しスライダー１０と基礎プレート８との間に支持された取り出し力保存手段１３とを有している。加えて、取り出し装置４は結合装置５と結合帯同部分１６とによって家具筐体２に結合されている。
【００２２】
その結合帯同部分１６は図２にも図示されており、帯同プレート３０によって筐体レール２７に取り付けられている。駆動装置１自体は基礎プレート８またはカバー３１によって可動家具部品３の引き出し底部２９に取り付けられている。
【００２３】
図３の分解図では、カージオイド形状ガイド通路９は基礎プレート８に提供されていることが図示されている。この場合には、重要な構成要素としてのガイド通路９はラッチ領域３３を有している。深度調整ホイール３２も基礎プレート８上に回転可能に取り付けられている。取り出し装置４の取り出しスライダー１０は基礎プレート８上のガイド通路４３に沿って直線的に移動可能に取り付けられている。引張バネの形態である取り出し力保存手段１３はバネ基部３７とバネ基部３８によって取り出しスライダー１０と基礎プレート８との間に挟まれている。ロックレバー１１は回転取付部３５、回転ピン３４および回転取付部３６によって旋回可能に取り出しスライダー１０に取り付けられる。ロックレバー１１には基礎プレート８のガイド通路９で移動可能なロックピン１２が配置されている。始動当接部７もロックレバー１１に提供されている。それと適合した関係で、伝達当接部６は結合スライダー１４に提供されている。捕捉要素１５は回転軸Ｘによって結合スライダー１４に回転可能に取り付けられている。結合スライダー１４と捕捉要素１５は基礎プレート８のガイド通路１７でガイドピン３９と４０によって移動可能に取り付けられている。そのガイド通路１７は、ガイドピン３９のための曲状端部１８を有している。結合スライダー１４と捕捉要素１５は、図３では図示しない結合帯同部分１６と共に結合装置５を形成する。駆動装置１は、基礎プレート８に固定できるカバー３１で閉じられている。
【００２４】
図４は、可動家具部品が閉じ位置ＳＳにあるときの１位置に存在する駆動装置１を示す。同時に、その閉じ位置ＳＳにおいて、ロックレバー１１に取り付けられたロックピン１２がガイド通路９のラッチ領域３３に存在するとき、ロック可能な取り出し装置４はロック位置Ｖに位置する。取り出し力保存手段１３はロック位置Ｖで応力（負荷）を受ける。さらに、結合装置５は結合位置にあり、そこで家具筐体２と関係する結合帯同部分１６は、結合スライダー１４と捕捉要素１５との間に保持または捕捉される。その閉じ位置ＳＳにおいて、結合スライダー４の伝達当接部６とロックレバー１１の始動当接部７との間には接触が存在する。
【００２５】
もし、図４で示す位置から始めて、押圧による力が閉じ方向ＳＲで可動家具部品３に付与されたら、可動家具部品３は、図５に示すように、閉じ位置ＳＳと超過押圧位置ＵＳの間で超過押圧領域Ｕ内に進入する。結合帯同部分１６が家具筐体に対して固定されているので、可動家具部品３が超過押圧されると、駆動装置１の基礎プレート８は結合帯同部分１６に対して閉じ方向ＳＲに移動する。しかしながら、結合帯同部分１６は結合装置５に結合されているので、結合スライダー１４は、伝達当接部６および始動当接部７によって、ロックレバー１１と共に基礎プレート８に対して移動し、ロックレバー１１上のロックピン１２はカージオイド形状ガイド通路９のラッチ領域３３から抜け出る。
【００２６】
その位置に到達すると直ちに取り出し力保存手段１３はロックされなくなり、取り出しスライダー１０は基礎プレート８に対して移動でき、図６の位置に進行する。その取り出しスライダー１０の移動で、ロックレバー１１は、始動当接部７と伝達当接部６によって、結合スライダー４と共に移動する。その結果、駆動装置１は結合装置５によって結合帯同部分１６に当接して開き位置ＯＳに存在し、そこで結合装置５は常に結合位置Ｋに留まる。
【００２７】
取り出し動作の終了時には駆動装置１は図７で示す位置に存在し、そこで可動家具部品３は開き位置ＯＳに留まり、結合装置５も結合位置Ｋに留まる。結合装置５の結合解除のため、結合帯同部分１６が結合スライダー１４と捕捉要素１５との間で捕捉されなくなるように、可動家具部品４は惰性または引っ張りによって、開き方向ＯＲに、捕捉要素１５がガイドピン３９によってガイド通路１７の曲状端部１８内にまでさらに前進する。図７で示す位置にて取り出し力保存手段１３は応力（負荷）から解放される。
【００２８】
図１から図７にかけて示すように、そのような駆動装置１は存在する可動家具部品３内に容易に後付けできる。その場合には、引き込み装置１９は、例えば、延伸ガイド構造体２８の領域に既に配置されている。
【００２９】
しかし、駆動装置１を、取り出し装置４と引き込み装置１９とを有した構造ユニットの形態で提供するためには、図８から図１０にかけて示す実施例を参照されたい。図４から図７とは対照的に、図８から図１０は、引っ張りによる開きを説明および図示しており、当然ながら、そのような引っ張りによる開きは図４から図７にも対応させて適用される。逆に、図４から図７にかけて示す超過押圧によるロック解除は図８から図１０にも対応させて適用できる。
【００３０】
図８では、可動家具部品３は、図４と同様に、閉じ位置ＳＳに存在する。この場合、取り出し装置４はロック位置Ｖに存在し、そこでロックピン１２はガイド通路９のラッチ領域３３にロックされる。図８の右側の図で図示されているように、駆動装置１の背面視が示されており、基礎プレート８は引き込み装置１９の基礎プレート部材４２に接続されている。必須構成要素として、引き込み装置１９は、基礎プレート部材４２と、引き込み捕捉要素２０と、引き込みガイド要素２０のための基礎プレート部材４２の引き込みガイド通路４１と、一方で基礎プレート部材４２に固定され、他方で引き込み捕捉要素２０に固定されている引き込み力保存手段２１とを有している。その引き込み力保存手段２１は引張バネの形態である。引き込み装置１９における別の重要構成要素として、結合装置５の捕捉要素１５には、引き込み捕捉要素２０の捕捉領域に保持されている引き込み帯同部分２２が配置されている。引き込み帯同部分２２から分離している結合帯同部分１６は、捕捉要素１５と結合スライダー１４との間に保持されている。もし、図５で示すように、押圧による力が閉じ方向ＳＲで可動家具部品３に適用されたら、引き込み捕捉要素２０の弾性アーム４４は変形し、引き込み捕捉要素２０が引き込みガイド通路４１で既に端部当接状態（end abutment condition）にあるため、閉じ方向ＳＲに対して反対関係（opposite relationship）で引き込み捕捉要素２０に対して引き込み帯同部分２２と共に捕捉要素１５の動きを許容する。その端部当接状態は、引き込み装置９で引き込まれたとき、閉じ位置で可動家具部品３を停止させるために必要であり、かつ、超過押圧位置ＵＳ内にさらに移動させないためにも必要である。いずれにしろ、超過押圧位置ＵＳへの移動は可能であり、弾性アーム４４は正にその目的で提供される。
【００３１】
もし、可動家具部品３がロック解除されずに、図５で示すように超過押圧によって取り出され、開きは可動家具部品３を引っ張ることで実行されるなら、駆動装置１は図９で示すごとく開き位置ＯＳに移動する。その位置では、取り出し装置４はロック位置Ｖに留まる。引っ張って開くことにより、基礎プレート８は開き方向ＯＲに、家具筐体に対して固定されている結合帯同部分１６に対して移動する。結合装置５が捕捉要素１５と結合スライダー１４とにより結合帯同部分１６に結合され、結合位置Ｋに存在すると、始動当接部７は伝達当接部６から持ち上げられて離れ、引っ張って開くと、結合装置５は取り出し装置４に対して非拘束的に移動する。一方でバネ基部４５は、基礎プレート８と共に基礎プレート部材４２によって開き方向ＯＲに移動するが、他方で引き込み力保存手段２１は、バネ基部４６と引き込み捕捉要素２０とによって捕捉要素１５に提供されている引き込み帯同部分２２に結合されているので、引き込み力保存手段２１も第１の開き移動部分Ｗに沿って、その開き移動により応力を受ける。引き込みガイド通路４１の曲状端部４７に到達するとすぐに、引き込み捕捉要素２０は旋回し、図９に示すように、引き込み捕捉要素２０は引き込み帯同部分２２から外される。しかしながら、同時に、結合装置５は結合帯同部分１６と共に結合位置Ｋに留まる。図９に示すように、その位置で、引き込み力保存手段２１は再び応力を受ける。
【００３２】
可動家具部品３の開き方向ＯＲでのさらなる移動で、駆動装置１は図１０で示す位置に移動し、そこでは、結合スライダー１４が、特に捕捉要素１５も曲状端部１８に到達しており、そこで結合位置Ｋは無効化され、よって、結合帯同部分１６は保持されなくなる。取り出し装置４はロック位置Ｖに留まる。
【００３３】
従って、本発明は、引っ張って開くと結合装置５が取り出し装置４に対して自由に移動できる駆動装置１を提供する。このように、引っ張って開いたとき取り出し装置４はロック位置Ｖに留まることができる。しかしながら、同時に、閉じたら、駆動装置１の適した結合位置Ｋは直ちに保存される。
【符号の説明】
【００３４】
１  駆動装置
２  家具筐体
３  可動家具部分
４  取り出し装置
５  結合装置
６  伝達当接部
７  始動当接部
８  基礎プレート
９  カージオイド形状のガイド通路
１０  取り出しスライダー
１１  ロックレバー
１２  ロックピン
１３  取り出し力保存手段
１４  結合スライダー
１５  捕捉要素
１６  結合帯同部分
１７  ガイド通路
１８  曲状端部
１９  引き込み装置
２０  引き込み捕捉要素
２１  引き込み力保存手段
２２  引き込み帯同部分
２３  家具
２４  引き出し収容体
２５  前方パネル
２６  引き出しレール
２７  筐体レール
２８  延伸ガイド構造体
２９  引き出し底部
３０  帯同プレート
３１  カバー
３２  深度調整ホイール
３３  ラッチ領域
３４  回転ピン
３５  回転取付部
３６  回転取付部
３７  バネ基部
３８  バネ基部
３９  ガイドピン
４０  ガイドピン
４１  引き込みガイド通路
４２  基礎プレート部材
４３  基礎プレート上のガイド通路
４４  弾性アーム
４５  バネ基部
４６  バネ基部
４７  引き込みガイド通路の曲状端部
Ｋ  結合位置
ＯＳ  開き位置
ＯＲ  開き方向
ＳＳ  閉じ位置
ＳＲ  閉じ方向
Ｕ  超過押圧領域
ＵＳ  超過押圧位置
Ｖ  ロック位置
Ｗ  第１の開き移動部分
Ｘ  回転軸
【図１】
0006276841.tif 000002
【図２】
0006276841.tif 000003
【図３】
0006276841.tif 000004
【図４】
0006276841.tif 000005
【図５】
0006276841.tif 000006
【図６】
0006276841.tif 000007
【図７】
0006276841.tif 000008
【図８】
0006276841.tif 000009
【図９】
0006276841.tif 000010
【図１０】
0006276841.tif 000011